(57)【要約】【課題】傷口を塞いで止血するとともに、食べ物のかすなどがたまって歯肉が炎症を起こすことを防ぐ歯科インプラント用のアバットメントを提供する。【解決手段】  歯台の上部に装着するブロック体であって、該ブロック体の一側面には開口が設けられ、内部には、中空で該開口に連接する穿設部が設けられ、該穿設部の形状と直径が歯台の形状及び直径に対応して形成される。【選択図】図１
0003135980.tif 000002
【実用新案登録請求の範囲】
【請求項１】
歯台の上部に装着するブロック体であって、該ブロック体の一側面には開口が設けられ、内部には、中空で該開口に連接する穿設部が設けられ、該穿設部の形状と直径が歯台の形状及び直径に対応して形成されることを特徴とする歯科インプラント用アバットメント。
【請求項２】
前記穿設部の深さが、歯肉縁から露出する歯台の長さに等しいことを特徴とする請求項１に記載の歯科インプラント用アバットメント。
【請求項３】
前記歯台が歯肉縁から露出する長さが穿設部の深さよりも長い場合、ブロック体の開口が設けられた側面に対向する側面に、歯台を貫通するために供する穿孔が形成されることを特徴とする請求項１に記載の歯科インプラント用アバットメント。
【請求項４】
前記歯科インプラント用アバットメントが円柱体に形成されることを特徴とする請求項１、２、３のいずれか１項に記載の歯科インプラント用アバットメント。
【請求項５】
前記歯科インプラント用アバットメントが歯の形状を呈することを特徴とする請求項１または２に記載の歯科インプラント用アバットメント。
【考案の詳細な説明】
【技術分野】
【０００１】
この考案は、アバットメントに関し、特に歯科治療で歯科インプラントのフィクスチャーに接続する歯科インプラント用アバットメントに関する。
【背景技術】
【０００２】
歯科インプラントは、虫歯などで欠損した歯の治療を大きく進歩させた。従来の義歯による治療法では、咀嚼の際に違和感がある、不安定、歯並びの美しさを損ねる、隣接する歯で義歯を支持するブリッジが必要になるなどの欠点があったが、歯科インプラントは従来の治療法とは大きく異なっている。
【０００３】
即ち、歯科インプラントは、従来の義歯の欠点を改善して、欠損する前の歯のように見えるとともに、安定性も高い。よって、患者は様々な食べ物を安心して咀嚼することができる。
【０００４】
また、歯科インプラントは、隣接する歯で支持するブリッジを設ける必要がなく、手術の成功率が高く、しっかりと手入れをしていれば、長期間使用することができる。
【０００５】
歯科インプラントの手術は一般に２種類に分けられる。一つは一段階式のインプラントであって、フィクスチャーを歯が欠損している部分の歯槽骨に埋設し、フィクスチャーの上部にアバットメントを設ける。該アバットメントは歯肉縁の表面から外部に露出して設けられる。数ヶ月経過すると、フィクスチャーと、アバットメントと、歯槽骨とがオッセオインテグレーションにより結合して義歯の支柱が形成される。
【０００６】
臨時のクラウンや義歯の型を製作し、義歯をアバットメントの上に被せると、一段階式のインプラントの手術が終了する。
【０００７】
インプラントを埋設した後、傷口はまだ塞がっていないため、手術後も引き続き出血、或いは血が滲み出してくる。
【０００８】
また、インプラントと歯槽骨とが結合するオッセオインテグレーションの期間、アバットメントの周囲、即ち、歯肉と歯肉縁との高さに差があるため空間が形成され、食事の際の食物のかすなどが該空間に体積するとともに、歯を磨いても該かすを取り除きにくい。
【０００９】
よって、傷口が炎症を起こすなどの現象が容易に発生し、傷口が塞がった後、従来適していた歯の形状の歯肉の輪郭と異なってしまうため、臨時のクラウンを製作し難く、義歯を埋め込む前に麻酔を使用して歯肉の軟性組織を広げなければならないため、患者にとって不便だった。
【００１０】
もう一つの方法は２段階式の歯科インプラントであって、第一段階ではフィクスチャーを歯が欠損した部分の歯槽骨に埋設する。しかしながら、この方法では埋設時にアバットメントを装着せず、数ヶ月後、インプラントと歯槽骨がオッセオインテグレーションするのを俟って、第二段階の手術を実施する。
【００１１】
即ち、塞がった歯肉縁を切開してインプラントの上部にアバットメントを接続する。その後、傷口を縫い合わせて臨時の義歯を装着する。抜歯の後、必要な臨時の歯冠と永久的な義歯の型を製作する。最後に永久的な義歯を装着させると、インプラントの手術が終了する。
【００１２】
上述の方法では、インプラントと歯槽骨とのオッセオインテグレーションが更に好ましい状態になる。
【００１３】
しかしながら、臨時の義歯の製作過程では時間とコストがかかり、且つ一段式のインプラントと同じように歯肉の軟性の組織が塞がった場合には、麻酔で軟性の組織を広げた後でないと永久的な義歯を装着することができないため、非常に不便である。
【考案の開示】
【考案が解決しようとする課題】
【００１４】
この考案は、傷口を塞いで止血するとともに、食べ物のかすなどがたまって歯肉が炎症を起こすことを防ぐ歯科インプラント用のアバットメントを提供することを課題とする。
【課題を解決するための手段】
【００１５】
そこで、本考案の考案者は従来の技術に見られる欠点に鑑みて鋭意研究を重ねた結果、歯台の上部に装着するブロック体であって、該ブロック体の一側面には開口が設けられ、内部には、中空で該開口に連接する穿設部が設けられ、該穿設部の形状と直径が歯台の形状及び直径に対応して形成される構造からなる。
【００１６】
以下、この考案について具体的に説明する。
請求項１に記載する歯台の上部に装着するブロック体であって、該ブロック体の一側面には開口が設けられ、内部には、中空で該開口に連接する穿設部が設けられ、該穿設部の形状と直径が歯台の形状及び直径に対応して形成される。
【００１７】
請求項２に記載の歯科インプラント用のアバットメントは、請求項１における穿設部の深さが、歯肉縁から露出する歯台の長さに等しい。
【００１８】
請求項３に記載の歯科インプラント用のアバットメントは、請求項１における歯台が歯肉縁から露出する長さが穿設部の深さよりも長い場合、ブロック体の開口が設けられた側面に対向する側面に、歯台を貫通するために供する穿孔が形成される。
【００１９】
請求項４に記載の歯科インプラント用のアバットメントは、請求項１、２、３のいずれか１項における歯科インプラント用アバットメントが円柱体に形成される。
【００２０】
請求項５に記載の歯科インプラント用のアバットメントは、請求項１または２における歯科インプラント用アバットメントが歯の形状を呈する。
【考案の効果】
【００２１】
この考案の歯科インプラント用のアバットメントは、美しい歯肉の輪郭を形成するため、義歯の装着に麻酔を必要としないという効果を有する。
【考案を実施するための最良の形態】
【００２２】
この考案は、傷口を塞いで止血するとともに、食べ物のかすなどがたまって歯肉が炎症を起こすことを防ぐ歯科インプラント用のアバットメントであって、歯台の上部に装着するブロック体であって、該ブロック体の一側面には開口が設けられ、内部には、中空で該開口に連接する穿設部が設けられ、該穿設部の形状と直径が歯台の形状及び直径に対応して形成される。
かかることを特徴とする歯科インプラント用アバットメントの構造と特徴を詳述するために具体的な実施例を挙げ、図示を参照にして以下に説明する。
【実施例】
【００２３】
図１、図２は、この考案の歯科インプラントのアバットメントを示したものである。該アバットメント１は、歯台２の上に装着するブロック体であって、歯肉縁に接触する側面に開口１００が形成された開口面１０と、該開口面１０に対向する側面に位置する閉口面１１と、ブロック体の内部に形成され、且つ上述の開口面１０に貫通し、直径と歯台２の直径とが対応するように形成される穿設部１２とを含んでなり、該開口の直径と歯台２の直径とが対応して形成される。
【００２４】
図３に開示するように、上述の穿設部１２の深さは、歯台２が歯肉縁から露出している長さに対応して形成する。歯肉縁より外部に露出している歯台２の長さが短い場合、穿設部１２の深さと歯台２が外側に露出している部分の長さが等しくなり、アバットメント１が外部に露出した歯台２を被覆する。
【００２５】
図４に開示するように、歯台２の露出する部分が比較的長い場合、閉口面１１上に穿孔が形成され、歯台２がアバットメント１の外側に貫通して設けられる。
【００２６】
図３、図４に開示するように、この考案のアバットメント１は、細部の形状が固定されておらず、外周面は舌、或いは周辺の組織を傷つけないように滑らかに形成される。この実施の形態では該アバットメント１の外観が略円柱を呈するように形成する。
【００２７】
図５は、アバットメント１の外観の他の実施の形態を示したものである。図面によれば、該アバットメント１の外観は、他人が気付くことなく、且つ歯並びの美観を高めるように歯の形状に形成してもよい。
【００２８】
一段階式のインプラント手術の患者が手術を行った後、前述のアバットメントを装着すると、軟性の組織を直接圧迫して止血することができる。このため、傷口が治癒した後、自然に美しい歯肉の輪郭が形成されるため、臨時のクラウンを製作する場合に便利で、後に義歯を装着する場合や、義歯の型を製作する場合にも便利である。
【００２９】
２段階式のインプラントの手術を受ける患者は、歯台を埋設した後、臨時の義歯の代わりにこの考案のアバットメントを使用することができるだけでなく、歯肉縁が美しい歯肉の輪郭を形成するために便利で、適宜な時間が経過した後に義歯を装着するために便利な臨時のクラウンの製作や、義歯の型を製作する場合に便利である。
【００３０】
また、患者が臨時の義歯を装着することを選択した場合、その後装着する臨時の義歯の前に該アバットメントを装着して歯台周辺を清潔に保つことができる。
【００３１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３２】
【図１】この考案の歯科インプラント用のアバットメントを示した説明図である。
【図２】この考案の歯科インプラント用のアバットメントの使用状態を示した分解図である。
【図３】この考案の歯科インプラント用のアバットメントの使用状態を示した説明図である。
【図４】この考案の歯科インプラント用のアバットメントの他の使用状態を示した説明図である。
【図５】この考案の歯科インプラント用のアバットメントの別の使用状態を示した説明図である。
【符号の説明】
【００３３】
１     アバットメント
１０   開口面
１００ 開口
１１   閉口面
１２   穿設部
２     歯台
【図１】
0003135980.tif 000003
【図２】
0003135980.tif 000004
【図３】
0003135980.tif 000005
【図４】
0003135980.tif 000006
【図５】
0003135980.tif 000007